【事件の表示】
　特願２００３−　９１７１２「制御プログラム、印刷装置、および、クライアントコンピュータ」拒絶査定不服審判事件〔平成１６年１０月２８日出願公開、特開２００４−３０２５６２〕について、次のとおり審決する。
【結　論】
　本件審判の請求は、成り立たない。
【理　由】
Ｉ．手続きの経緯
　本願は、平成１５年３月２８日の出願であって、平成１７年８月８日付けの拒絶の理由の通知に対して、同年１０月１４日付けで意見書及び手続補正書が提出されたが、同年１１月９日付けで拒絶の査定を受けたものであり、この査定を不服として、同年１２月１４日付けで拒絶査定不服審判の請求がなされたものである。
　
ＩＩ．本願発明について
　本願の請求項１乃至６に係る発明は、平成１７年１０月１４日付けの手続補正書の特許請求の範囲の請求項１乃至６に記載された事項により特定されるとおりのものであるところ、請求項１に係る発明（以下、「本願発明」という。）は、以下のとおりのものである。
　
「【請求項１】
　印刷装置に接続されたサーバにネットワークを介して接続されるクライアントで実行される制御プログラムであって、
　前記印刷装置のネットワークアドレスを要求するためのアドレス要求コマンドと前記クライアントのネットワークアドレスとを、印刷ジョブとは独立して、前記クライアントから前記サーバ経由で前記印刷装置に送信するステップと、
　前記アドレス要求コマンドの送信に応答して、前記ネットワークを介して前記印刷装置から送られてくる前記印刷装置のネットワークアドレスを前記クライアントにより受信するステップとを含む、制御プログラム。」
　
ＩＩＩ．刊行物の記載
（Ａ）刊行物１について
　原査定の拒絶の理由に引用された特開２００２−１５７０９５号公報（平成１４年５月３１日出願公開。以下、「刊行物１」という。）には、図面と共に以下の事項が記載されている。
　
【特許請求の範囲】
【請求項１】複数の端末装置とプリンタ装置がネットワークで接続され、前記プリンタ装置が前記端末装置からの印刷要求に応じて印刷処理を行うプリンタシステムにおいて、前記端末装置は、前記プリンタ装置に印刷要求を行うに際して、印刷データに自己の通信アドレスと当該プリンタ装置の通信アドレス問い合わせ要求をセットし、前記プリンタ装置は、前記端末装置からの印刷要求に応じて印刷処理を行うに際して、前記印刷データに前記端末装置の通信アドレスと前記通信アドレス問い合わせ要求がセットされていると、当該印刷データにセットされている前記端末装置の通信アドレスを読み取って、当該通信アドレスに対して、自己の通信アドレスを通知することを特徴とするプリンタシステム。
　
【００１６】図１及び図２は、本発明のプリンタシステムの第１の実施の形態を適用したプリンタシステム１０のシステム構成図であり、本実施の形態は、請求項１に対応するものである。
【００１７】図１において、プリンタシステム１０は、ネットワークＮＷに複数のクライアント端末装置１１とプリンタ装置１２及びプリントサーバ１３が接続されており、ネットワークＮＷは、例えば、イーサネット（登録商標）（Ｅｔｈｅｒｎｅｔ）形態のＬＡＮ（Ｌｏｃａｌ　Ａｒｅａ　Ｎｅｔｗｏｒｋ）である。
　
【００２４】この動作状態情報の問い合わせに関するコマンドとして、本実施の形態では、以下のコマンドを用いる。
【００２５】〈コマンド１〉
応答データの送信先指定コマンド（クライアント端末装置→プリンタ装置）
＠ＳＥＴ　ＲＥＰＬＹ＿ＡＤＤＲＥＳＳ＝〈通信アドレス〉
〈コマンド２〉
プリンタのアドレス問い合わせコマンド（クライアント端末装置→プリンタ装置）
＠ＩＮＦＯ　ＮＩＣ＿ＡＤＤＲＥＳＳ
〈コマンド２の応答〉（プリンタ装置→クライアント端末装置）
ＮＩＣ＿ＡＤＤＲＥＳＳ＝〈通信アドレス〉
〈コマンド３〉プリンタ装置１２でサポートする管理プロトコル問い合わせコマンド（クライアント端末装置→プリンタ装置）
＠ＩＮＦＯ　ＭＡＮＡＧＥＭＥＮＴ＿ＰＲＯＴＯＣＯＬＳ
〈コマンド３の応答例〉（プリンタ装置→クライアント端末装置）
ＳＮＭＰ，ＩＰ
ＳＮＭＰ，ＩＰＸ
そして、クライアント端末装置１１は、印刷機能３１とプリンタ監視機能３２を備えており、また、イーサネットカードが装着されて、ネットワークＮＷ上でプリンタ装置１２にイーサネット接続されている。クライアント端末装置１１は、クライアント端末装置１１のＯＳ（Ｏｐｅｒａｔｉｎｇ　Ｓｙｓｔｅｍ）上で動作する印刷機能３１を使用して、イーサネット接続されているネットワークＮＷ経由で印刷データ送信したり、ネットワーク管理機能３２により他の端末の情報、例えば、プリンタ装置１２の情報を収集することができる。クライアント端末装置１１は、ＴＣＰ／ＩＰプロトコルが動作可能であり、通信アドレスとしてのＩＰアドレスには、１９２．１６８．１２．５６が割り当てられているものとする。
【００２６】プリントサーバ１３は、プリンタ装置１２が１台または複数台接続でき、ネットワークＮＷ上のクライアント端末装置１１に対して、論理的な共有デバイスとして提供する。プリントサーバ１３は、ＴＣＰ／ＩＰプロトコルが動作可能であり、通信アドレスとしてのＩＰアドレスには、１９２．１６８．１２．７８が割り当てられているものとする。
【００２７】次に、本実施の形態の作用を説明する。クライアント端末装置１１は、プリンタ装置１２に対して印刷要求する場合、図２に示すように、プリントサーバ１３の該当する論理デバイスに対して印刷データを送信するとともに、プリンタ装置１２の動作状態を問い合わせるのに必要なプリンタ装置１２のネットワークＮＷ上での通信アドレスの要求を行う。
【００２８】すなわち、クライアント端末装置１１は、図２に示すように、印刷データにプリンタアドレス問い合わせコマンドをセットし（ステップＳ１０１）、当該プリンタアドレス問い合わせコマンドをセットした印刷データをプリントサーバ１３に送信する（ステップＳ１０２）。
【００２９】このとき、クライアント端末装置１１は、印刷データに以下のようなコマンドを含ませる。
【００３０】
  （初期化処理）
      ・
      ・
  ＠ＳＥＴ　ＲＥＰＬＹ＿ＡＤＤＲＥＳＳ＝１９２．１６８．１２．５６・・（コマンドＱ１）
  ＠ＩＮＦＯ　ＮＩＣ＿ＡＤＤＲＥＳＳ・・・（コマンドＱ２）
  （画像処理）
      ・
      ・
  （終了処理）
プリントサーバ１３は、クライアント端末装置１１から印刷データが送信されてくると、当該送信されてきた印刷データをそのまま加工することなく、プリンタ装置１２へ転送する（ステップＳ２０１）。
【００３１】プリンタ装置１２は、プリントサーバ１３から印刷データが送信されてくると、当該印刷データ（プリントデータ）を受信し（ステップＳ３０１）、受信した印刷データを解釈して返答先アドレス（コマンドＱ１）が設定されているかチェックする（ステップＳ３０２）。
【００３２】プリンタ装置１２は、ステップＳ３０２で、返答先アドレスが設定されているときには、返答先アドレスを抽出し、抽出した返答先アドレスを記憶して（ステップＳ３０３）、さらに、印刷データを解釈して、プリンタ装置１２の通信アドレス問い合わせコマンド（コマンドＱ２）が設定されているかチェックする（ステップＳ３０４）。
【００３３】また、上記ステップＳ３０２で、返答先アドレスが設定されていないときには、プリンタ装置１２は、ステップＳ３０４に移行して、プリンタ装置１２の通信アドレス問い合わせコマンドが設定されているかチェックする（ステップＳ３０４）。
【００３４】ステップＳ３０４で、通信アドレス問い合わせコマンドが設定されていると、プリンタ装置１２は、返答先アドレスが記憶されているかチェックし（ステップＳ３０５）、返答先アドレスが記憶されていると、当該返答先アドレス、すなわち、本実施の形態では、クライアント端末装置１１の通信アドレス１９２．１６８．１２．５６へ返答である自己の通信アドレス１９２．１６８．１２．３４を送信する（ステップＳ３０６）。すなわち、プリンタ装置１２は、通信アドレスデータとして、以下のデータをクライアント端末装置１１に送信する。
【００３５】
  ＮＩＣ＿ＡＤＤＲＥＳＳ＝１９２．１６８．１２．３４・・・（データＡ１）
次に、プリンタ装置１２は、受信した以降の印刷データをプリンタ本体部２１に渡して、プリンタ本体部２１に当該印刷データを記録紙に記録出力させて、処理を終了する（ステップＳ３０７）。
【００３６】そして、プリンタ装置１２は、上記ステップＳ３０４で、通信アドレス問い合わせコマンドが設定されていないとき、または、ステップＳ３０５で、返答先アドレスが記憶されていないときには、そのままステップＳ３０７に移行して、受信した以降の印刷データをプリンタ本体部２１により記録紙に記録出力させて、処理を終了する（ステップＳ３０７）。
【００３７】なお、プリンタ装置１２は、ステップＳ３０５で、返答先アドレスが存在しない場合には、印刷データの直接の送信元であるプリントサーバ１３宛に、すなわち、通信アドレス１９２．１６８．１２．７８宛に自己の通信アドレスを送信してもよい。この場合、プリントサーバ１３がクライアント端末装置１１にプリンタ装置１２の通信アドレスを通知するようにする。
【００３８】クライアント端末装置１１は、プリンタ装置１２から返答があるかチェックし（ステップＳ１０３）、返答として、通信アドレスデータ（データＡ１）が送信されてくると、当該通信アドレスを受信して（ステップＳ１０４）、プリンタ装置１２の通信アドレス１９２．１６８．１２．３４を記憶する（ステップＳ１０５）。
　
図１、図５には、プリンタ装置１２に接続されたプリントサーバ１３にネットワークを介して接続されるクライアント端末装置１１が示されている。
　
　以上の記載によれば、刊行物１には、次の発明（以下、「刊行物１記載発明」という。）が記載されている。
　
「プリンタ装置１２に接続されたプリントサーバ１３にネットワークＮＷを介して接続されるクライアント端末装置１１において、以下の各ステップが実行されるプリンタシステム１０であって、
　クライアント端末装置１１は、通信アドレスが１９２．１６８．１２．５６であり、印刷データに自己の通信アドレスとプリンタ装置の通信アドレス問い合わせ要求をセットするとき、印刷データに以下のようなコマンドを含ませており、
　＠ＳＥＴ　ＲＥＰＬＹ＿ＡＤＤＲＥＳＳ＝１９２．１６８．１２．５６・・（コマンドＱ１）
　＠ＩＮＦＯ　ＮＩＣ＿ＡＤＤＲＥＳＳ・・・（コマンドＱ２）、
　プリンタアドレス問い合わせコマンドをセットした印刷データをプリントサーバ１３に送信するステップＳ１０２、
　　プリントサーバ１３は、クライアント端末装置１１から印刷データが送信されてくると、当該送信されてきた印刷データをそのまま加工することなく、プリンタ装置１２へ転送するステップＳ２０１と、
　プリンタ装置１２は、プリントサーバ１３から印刷データが送信されてくると、当該印刷データを受信し（ステップＳ３０１）、受信した印刷データを解釈して返答先アドレス（コマンドＱ１）が設定されているかチェックし（ステップＳ３０２）、返答先アドレスが設定されているときには、返答先アドレスを抽出し、抽出した返答先アドレスを記憶し（ステップＳ３０３）、さらに、印刷データを解釈して、プリンタ装置１２の通信アドレス問い合わせコマンド（コマンドＱ２）が設定されているかチェックし（ステップＳ３０４）、ステップＳ３０４で、通信アドレス問い合わせコマンドが設定されていると、返答先アドレス、すなわち、本実施の形態では、クライアント端末装置１１の通信アドレス１９２．１６８．１２．５６へ返答である自己の通信アドレス１９２．１６８．１２．３４を送信するステップＳ３０６と、
　すなわち、プリンタ装置１２は、通信アドレスデータとして、以下のデータをクライアント端末装置１１に送信するものであり、
　ＮＩＣ＿ＡＤＤＲＥＳＳ＝１９２．１６８．１２．３４・・・（データＡ１）、
　クライアント端末装置１１は、プリンタ装置１２から返答として、通信アドレスデータ（データＡ１）が送信されてくると、当該通信アドレスを受信するステップＳ１０４とを有するプリンタシステム。」
　
（Ｂ）周知技術について
　特開２００３−４６５１９号公報（平成１５年２月１４日出願公開。以下、「刊行物２」という。）には、図面と共に以下の事項が記載されている。
　
【００６７】ネットワークに接続されている機器が被設定機のサービスを使用する場合，サービスを使用する機器（以下，クライアントと称する）は，被設定機のＩＰアドレスを知らなければならない。被設定機は，あらかじめ定めたタイミングで，自分のＩＰアドレスをブロードキャストで全機器に通知する（図８参照）。クライアントは，被設定機からのブロードキャストパケットの内容から，被設定機とのネットワーク接続を確立する。
【００６８】例えば，被設定機がプリンタであった場合，クライアントはブロードキャストパケットの内容からプリンタのＩＤアドレスを取得し，プリンタドライバの設定ファイル内に接続先ＩＰアドレスとして設定する。
【００６９】ここでは，被設定機が，あらかじめ定めたタイミングでブロードキャストを発信するとしているが，クライアントが，被設定機に対してブロードキャストによるネットワークアドレスの発信を要求してもよい。クライアントの起動時，あるいは被設定機のサービスを使用するときに，クライアントは，ブロードキャストで被設定機の情報取得を要求する。被設定機は，クライアントからの情報要求に応じて，ＩＰアドレス等のネットワークアドレスを，クライアントへのユニキャスト，あるいはネットワーク全体へのブロードキャストとして発信する。クライアントは，被設定機からのブロードキャストパケットの内容から，被設定機とのネットワーク接続を確立する。
　
　また、特開２００３−１５８３１号公報（平成１５年１月１７日出願公開。以下、「刊行物３」という。）には、図面と共に以下の事項が記載されている。
　
【００２０】本発明では、ＩＰアドレス等の通信網上の位置を特定する位置情報を要求する位置情報要求ジョブを、クライアントコンピュータを用いた端末装置からサーバコンピュータを用いた中央装置を介して、画像形成、画像送信、及び画像読取等のジョブを処理するプリンタ、ファクシミリ、及びスキャナ等の処理装置へ送信し、処理装置では、受信した位置情報要求ジョブに基づいて位置情報を端末装置へ送信することにより、端末装置では位置情報を取得することができるので、処理装置に対する監視及び制御等の操作を行う場合に、中央装置を介さずにジョブを処理装置へ送信することができるので、中央装置の処理負荷を軽減することが可能で、しかもそのために中央装置に対して位置情報等の処理装置に関する情報を管理する情報管理機能の付加又は情報管理機能を有する装置の追加が不要で、また位置情報を必要とする都度、ブロードキャストパケットを送信しなければならないということがないので、通信負荷の増大を抑制することが可能である。
　
【００２２】中央装置１０が、端末装置２０，２０，・・・に対して提供する通信サービスとしては、例えば通信網ＮＷに接続するプリンタ、ファクシミリ、及びスキャナ等の処理装置３０を複数の端末装置２０，２０，・・・にて共用することができるように管理するサービスがある。なお以降の説明では、処理装置３０としてプリンタを用いた場合の形態を説明するが、本発明の処理装置３０はプリンタに限るものではない。
　
【００２９】次に本発明の通信システムにて用いられる中央装置１０、端末装置２０、及び処理装置３０の処理を図３に示すフローチャートを用いて説明する。先ず端末装置２０では、処理装置３０を示す名称情報を指定して、処理装置３０の通信網ＮＷ上の位置を示す位置情報の送信を要求する位置情報要求ジョブを通信網ＮＷ上の中央装置１０へ送信する（Ｓ１０１）。なおこのとき送信される位置情報要求ジョブには、端末装置２０の位置情報が送信元位置情報として含まれている。
【００３０】中央装置１０では、位置情報要求ジョブを受信し（Ｓ１０２）、受信した位置情報要求ジョブにより指定されている名称情報に対応付けられた位置情報を、位置情報テーブル１０ａに基づいて抽出し（Ｓ１０３）、抽出した位置情報により通信網ＮＷ上の位置を特定される処理装置３０へ、ステップＳ１０２にて受信した位置情報要求ジョブを送信する（Ｓ１０４）。
【００３１】処理装置３０では、位置情報要求ジョブを受信し（Ｓ１０５）、受信したジョブが位置情報要求ジョブであることを判別して、位置情報要求ジョブに送信元位置情報として含まれている位置情報により通信網ＮＷ上の位置を特定される端末装置２０へ、処理装置３０の位置情報を送信する（Ｓ１０６）。
　
【００３６】なお端末装置２０から中央装置１０を介して処理装置３０へ送信する位置情報要求コマンドは、独立したジョブとして送信する必要はなく、例えば印刷ジョブとして送信するパケットのヘッダ部に位置情報を要求するコマンドを含ませて印刷及び位置情報要求を一つのジョブで兼ねてもよい。
　
　これらの刊行物２、３により、本願発明の技術用語を用いると、次のような技術（以下、「周知技術」という。）が本願出願前に周知であったと認められる。
　
「クライアントから、印刷装置のネットワークアドレスを要求するためのアドレス要求コマンドと前記クライアントのネットワークアドレスとを、印刷ジョブとは独立して印刷装置へ送信する技術。」
　
ＩＶ．対比
　本願発明と刊行物１記載発明とを対比すると、刊行物１記載発明の「プリンタ装置１２」、「プリントサーバ１３」、「クライアント端末装置１１」、「通信アドレス」、「印刷データ」は、本願発明の「印刷装置」、「サーバ」、「クライアント」、「ネットワークアドレス」、「印刷ジョブ」にそれぞれ相当する。
　また、刊行物１記載発明の「通信アドレス問い合わせ要求」及び「プリンタアドレス問い合わせコマンド」、「通信アドレス問い合わせコマンド」は、いずれも本願発明の「アドレス要求コマンド」に相当する。
　そして一般に、クライアントは、クライアントで実行される制御プログラムを有し、その制御プログラムに従って動作することは自明であるから、刊行物１記載発明の「クライアント端末装置１１において、各ステップが実行されるプリンタシステム」が、「クライアントで実行される制御プログラムであって、各ステップを有する制御プログラム」を有することは明らかである。
　
　したがって、両者の一致点及び相違点は次のとおりである。
　
［一致点］
「印刷装置に接続されたサーバにネットワークを介して接続されるクライアントで実行される制御プログラムであって、
　前記印刷装置のネットワークアドレスを要求するためのアドレス要求コマンドと前記クライアントのネットワークアドレスとを、前記クライアントから前記サーバ経由で前記印刷装置に送信するステップと、
　前記アドレス要求コマンドの送信に応答して、前記ネットワークを介して前記印刷装置から送られてくる前記印刷装置のネットワークアドレスを前記クライアントにより受信するステップとを含む、制御プログラム。」
　
［相違点］　
　「アドレス要求コマンドとクライアントのネットワークアドレスとを」、
　本願発明では、「印刷ジョブとは独立して」送信するのに対して、
　刊行物１記載発明では、印刷データにセットして送信する点。
　
Ｖ．判断
　上記相違点について検討する。
　クライアントによって、印刷装置のネットワークアドレスを取得するという刊行物１記載発明と共通する技術分野において、「アドレス要求コマンドとクライアントのネットワークアドレスとを、印刷ジョブとは独立して」送信することは、周知技術であるから、この周知技術を刊行物１記載発明に適用し、本願発明の構成とすることは、当業者であれば適宜なし得る設計事項である。
　そして、本願発明の構成による効果も、刊行物１記載発明、周知技術からみて格別のものではない。
　したがって、刊行物１記載発明及び周知技術に基づいて、本願発明の構成とすることは、当業者が容易に想到し得た事項である。
　
ＶＩ．むすび
　以上のとおり、本願発明は、刊行物１記載発明及び周知技術に基づいて、当業者が容易に発明をすることができたものであるから、特許法第２９条第２項の規定により、特許を受けることができない。
　
　よって、結論のとおり審決する。